(57)【要約】      （修正有）【課題】好きな人物のライブの開催日や好きなアニメキャラクターの誕生日等のイベントまでの残り日数をお気に入りのブロマイドなどを卓上に飾りながらカウントダウンして楽しめるカウントダウンカレンダーを提供する。【解決手段】カウントダウンカレンダー１０は、複数のイベントに関する情報がそれぞれ表示された複数の第１のカードを束ねて第１の領域に配置された第１のカード群１１と、イベントまでの残り日数に対応するカウントダウン数字が順に表示された複数の第２のカードを束ねて第２の領域に配置された第２のカード群１２と、複数のイベントの象徴物をそれぞれ入れるための少なくとも１個の透明ポケットを束ねて第３の領域に配置された透明ポケット群１３と、第１のカード群、第２のカード群、及び透明ポケット群のそれぞれを台紙１６に連結するリング状の連結部１４とを有する。【選択図】図１
0003230750.tif 000002
【実用新案登録請求の範囲】
【請求項１】
複数のイベントに関する情報がそれぞれ表示された複数の第１のカードを束ねて第１の領域に配置された第１のカード群と、
イベントまでの残り日数に対応するカウントダウン数字が順に表示された複数の第２のカードを束ねて第２の領域に配置された第２のカード群と、
前記複数のイベントの象徴物をそれぞれ入れるための少なくとも１個の透明ポケットを束ねて第３の領域に配置された透明ポケット群と、
前記第１のカード群、前記第２のカード群、及び前記透明ポケット群のそれぞれを台紙に連結するリング状の連結部と、を有することを特徴とするカウントダウンカレンダー。
【請求項２】
前記複数の第１のカードの枚数Ｓ１は１０≦Ｓ１≦２０、前記複数の第２のカードの枚数Ｓ２は１０≦Ｓ２≦１００、前記透明ポケットの個数Ｐは５≦Ｐ≦１５であることを特徴とする請求項１に記載のカウントダウンカレンダー。
【請求項３】
前記複数の第１のカードのうち少なくとも一部のカードには、予め前記複数のイベントに関する情報がそれぞれ表示されており、
前記複数の第１のカードのうち他の少なくとも１枚のカードは、ユーザが所望のイベントに関する情報を書き込み可能で消すことが可能な素材からなることを特徴とする請求項１または２に記載のカウントダウンカレンダー。
【請求項４】
前記透明ポケット群を押さえるために前記第３の領域において前記透明ポケット群の前面に配置された、前記透明ポケットのそれぞれよりも固い透明板を更に有し、
前記連結部は、前記第１のカード群、前記第２のカード群、前記透明ポケット群、及び前記透明板をそれぞれ前記台紙に連結することを特徴とする請求項１乃至３のいずれか一項に記載のカウントダウンカレンダー。
【請求項５】
前記第１のカード群の厚みと、前記第２のカード群の厚みと、前記透明ポケット群と前記透明板の厚みの合計がそれぞれ略同一であることを特徴とする請求項１乃至４のいずれか一項に記載のカウントダウンカレンダー。
【請求項６】
前記透明ポケット群の幅Ｗ１（ｍｍ）は７０≦Ｗ１≦１００、高さＨ１（ｍｍ）は１００≦Ｈ１≦１５０であり、
前記台紙の幅Ｗ３（ｍｍ）は１４０≦Ｗ３≦２５０ 、使用状態での高さＨ３（ｍｍ）は９０≦Ｈ３≦１７０であることを特徴とする請求項１乃至５のいずれか一項に記載のカウントダウンカレンダー。
【請求項７】
前記複数のイベントに関する情報は、アニメ、キャラクター、アイドルに関するイベント名、キャラクターの誕生日、コンサート日、アニメのストーリー上での記念日、コミックスのリリース日、又はアニメの放送日の少なくとも一つを含むことを特徴とする請求項１乃至６のいずれか一項に記載のカウントダウンカレンダー。
【請求項８】
前記象徴物は、前記複数のイベントに関する人物またはキャラクターのブロマイドであることを特徴とする請求項１乃至７のいずれか一項に記載のカウントダウンカレンダー。
【請求項９】
前記第１の領域は、前記第２の領域よりも左側に配置され、
前記第３の領域は、前記第２の領域よりも右側に配置されていることを特徴とすることを特徴とする請求項１乃至８のいずれか一項に記載のカウントダウンカレンダー。
【考案の詳細な説明】
【技術分野】
【０００１】
本考案は、アニメ、キャラクターや人気アイドル等に関するイベントまでの残り日数をカウントダウンするために用いられるカウントダウンカレンダーに関する。
【背景技術】
【０００２】
従来から、ユーザが所望の目標を書き込んで目標までの残り日数を数えるためのカウントダウンカレンダーが知られている。特許文献１には、空白欄の空欄に目標を書くことや目標が記載されたシール型の紙を貼ることが可能な目標達成カウントダウンカレンダーが開示されている。特許文献２には、目標の日（行事名）を書く箇所を設けたカウントダウンカレンダーが開示されている。
【先行技術文献】
【特許文献】
【０００３】
【特許文献１】特開２０１４−１０８６２５号公報
【特許文献２】実用新案登録第３０７４５７７号公報
【考案の概要】
【考案が解決しようとする課題】
【０００４】
しかしながら、特許文献１や特許文献２に開示されたカウントダウンカレンダーは、ユーザが目標等のイベントに関する情報を書き込むことができるが、ユーザがそのイベントの日を楽しみながら待ち望むための工夫がない。特に、アニメ、キャラクターや人気アイドル等に関するイベントや記念日等（以下、「イベント」と総称する。）に関する情報が好きな人物のライブの開催日や好きなアニメキャラクターの誕生日等である場合、イベントに関する情報や残り日数を表示させるだけでなく、お気に入りのブロマイド等のイベントの象徴物等を表示させることにより、ユーザはそのイベントの日を楽しみながら待ち望むことができるとの新しい着想（課題）を本考案者は得た。
【０００５】
また、特定のアニメ、キャラクター又は人気アイドル等に関するイベントが１年間に複数回ある場合には、一つのカウントダウンカレンダーで、複数のイベントをカウントダウンできるように設計されていたほうがユーザにとって好都合であるとの着想（課題）を本考案者は見出した。
【０００６】
そこで本考案の目的は、好きな人物のライブの開催日や好きなアニメキャラクターの誕生日等のイベントまでの残り日数をお気に入りのブロマイドなどを卓上に飾りながらカウントダウンして楽しめるカウントダウンカレンダーを提供することである。
【課題を解決するための手段】
【０００７】
本考案の一側面としてのカウントダウンカレンダーは、複数のイベントに関する情報がそれぞれ表示された複数の第１のカードを束ねて第１の領域に配置された第１のカード群と、イベントまでの残り日数に対応するカウントダウン数字が順に表示された複数の第２のカードを束ねて第２の領域に配置された第２のカード群と、前記複数のイベントの象徴物をそれぞれ入れるための少なくとも１個の透明ポケットを束ねて第３の領域に配置された透明ポケット群と、前記第１のカード群、前記第２のカード群、及び前記透明ポケット群のそれぞれを台紙に連結するリング状の連結部とを有する。
【０００８】
本考案の他の目的や特徴は、以下の実施形態において説明される。
【考案の効果】
【０００９】
本考案によれば、好きな人物のライブの開催日や好きなアニメキャラクターの誕生日等のイベントまでの残り日数をお気に入りのブロマイドなどを卓上に飾りながらカウントダウンして楽しめるカウントダウンカレンダーを提供することができる。
【図面の簡単な説明】
【００１０】
【図１】本実施形態に係るカウントダウンカレンダーの外観斜視図である。
【図２】本実施形態に係るカウントダウンカレンダーの外観斜視図である。
【図３】本実施形態に係るカウントダウンカレンダーの分解斜視図である。
【図４】本実施形態に係るカウントダウンカレンダーの透明板の構成図である。
【考案を実施するための形態】
【００１１】
以下、本考案の実施形態に関し、図面を参照して説明する。
【００１２】
図１乃至図４を用いて、本実施形態に係るカウントダウンカレンダー１０の構成について説明する。図１及び図２は、カウントダウンカレンダー１０の外観斜視図である。図１は、カウントダウンカレンダー１０の透明ポケットにイベントの象徴物が何も入っていない状態を示している。図２は、カウントダウンカレンダー１０の透明ポケットにイベントの象徴物（ブロマイド）が入っている状態を示している。図３は、カウントダウンカレンダー１０の分解斜視図である。図４は、カウントダウンカレンダー１０の透明板１５の構成図である。
【００１３】
図１及び図２に示されるように、カウントダウンカレンダー１０は、台紙１６のうち最も左側の領域Ａ（第１の領域）に配置された第１のカード群１１、領域Ａの右側に隣接した領域Ｂ（第２の領域）に配置された第２のカード群１２、及び、領域Ｂの右側に隣接した（最も右側の）領域Ｃ（第３の領域）に配置された透明ポケット群１３を有する。第１のカード群１１は、複数のイベントに関する情報がそれぞれ表示された複数の第１のカードを束ねて構成される。第２のカード群１２は、イベントまでの残り日数に対応するカウントダウン数字が順に表示された複数の第２のカードを束ねて構成される。透明ポケット群１３は、複数のイベントの象徴物をそれぞれ入れるための複数の透明ポケット（クリアポケット）を束ねて構成される。なお本実施形態において、透明ポケット群１３は、複数の透明ポケットを有するが、これに限定されるものではなく、少なくとも１個の透明ポケットを有していれば良い。第１のカード群１１、第２のカード群１２、及び透明ポケット群１３はそれぞれ、リング状の連結部１４により台紙１６に連結されている。本実施形態において、連結部１４は、第１のカード群１１及び第２のカード群１２のそれぞれを台紙１６に連結する第１の連結部１４ａと、透明ポケット群１３を台紙１６に連結する第２の連結部１４ｂの２つに分かれた連結部からなる。ただし本実施形態は、これに限定されるものではなく、１つの一体化した連結部１４が第１のカード群１１、第２のカード群１２、及び透明ポケット群１３のそれぞれを台紙１６に連結するように構成しても良い。または、連結部１４を３つの連結部に分けて、各連結部が第１のカード群１１、第２のカード群１２、及び透明ポケット群１３のそれぞれを台紙１６に連結するように構成しても良い。
【００１４】
第１のカード群１１は、複数の（Ｓ１枚の）第１のカード（紙）を束ねて構成されている。本実施形態において、Ｓ１枚の第１のカードのうち（Ｓ１−１）枚のカード（最後の第１のカードを除く他の全ての第１のカード）には、予め複数のイベントに関する情報がそれぞれ表示（印刷）されている。ここで、イベントに関する情報とは、例えば、アニメ、キャラクター、人気アイドル等に関するイベント名、アニメキャラクターの誕生日、コンサート日、アニメのストーリー上での記念日、コミックスのリリース日（新刊発売日）、アニメの放送日、ユーザ自身やその家族の誕生日等であるが、これらに限定されるものではない。本実施形態では、図１に示されるように、第１のカード群１１のうち１枚の第１のカードに「推しの誕生日まで」の文字が表示されている状態を示している。更に本実施形態において、図１に示されるように第１のカードに文字に加えてケーキ等のイラストを表示しても良い。本実施形態では、図２に示されるように、第１のカード群１１のうち「推しの誕生日まで」と表示された第１のカード１１ａの次の第１のカード１１ｂには、カード１１ａに表示されたイベントとは異なるイベントとして、「ライブまで」の文字が表示されている。なお本実施形態において、第１のカード群１１を構成する第１のカードは１５枚（Ｓ１＝１５）であり、そのうち最後のカードを除く１４枚のカードに予めイベントに関する情報がそれぞれ表示されているが、これに限定されるものではない。第１のカードの枚数Ｓ１は、例えばイベントの数に応じて設定すれば良い。
【００１５】
第１のカードのうち残りの１枚のカード（最後の第１のカード）は、ＰＰ加工（ポリプロピレン加工）された白紙であり、ユーザが水性ペン等を用いて所望のイベントに関する情報を書き込むことや消すことが可能である。なお本実施形態において、第１のカード群１１を構成する全ての第１のカードがＰＰ加工された紙であるが、これに限定されるものではなく、少なくとも最後の１枚の白紙のカードのみをＰＰ加工していれば良い。また、白紙のカードは、必ずしも最後の１枚のみに限られず、最初の１枚をＰＰ加工（ポリプロピレン加工）された白紙のカードとし、また途中のカードを同様に白紙のカードとしても良い。また、白紙のカードは、１枚に限定されるものではなく、２枚以上備えていても良く、複数の第１のカードのうち少なくとも１枚が白紙のカードであれば良い。また、白紙のカードは、ＰＰ加工された紙に限定されるものではなく、プラスチック板等、ユーザが所望のイベントに関する情報を水性ペンで書き込み可能で消すことが可能な素材からなるカードであれば良い。すなわち、複数の第１のカードのうち少なくとも一部のカードには、予め複数のイベントに関する情報がそれぞれ表示されており、複数の第１のカードのうち他の少なくとも１枚のカードは、ユーザが所望のイベントに関する情報を書き込み可能で消すことが可能な素材からなる。
【００１６】
第２のカード群１２を構成する複数の第２のカード（紙）には、イベントまでの残り日数に対応するカウントダウン数字が順に表示（印刷）されている。本実施形態では、第２のカードの枚数は第１のカードと同様に１５枚であり、カウントダウン数字（イベントに向けて逆算の日数のカウント）として残り１４日〜残り０日（当日）までの１５枚の全てに日付が表示されている。図１は、第２のカードに「あと３日！」の文字が表示（印刷）されている状態を示している。本実施形態において、第２のカードが１５枚の場合、第２のカード群１２のうち最初（最表）の第２のカードには、図３に示されるように「あと１４日！」の文字が表示されている。ただし、第２のカードの枚数は、１５枚に限定されるものではなく、３０枚等の他の枚数であっても良い。なお本実施形態において、第２のカードには、カウントダウン数字に加えて、写真やイラストが表示されていても良い。なお本実施形態において、第２のカード群１２は、１枚捲るごとに１日ずつカウントダウンする表示に限定されるものではなく、１枚捲るごとに例えば１００日、５０日、３０日のように日数を空けてカウントダウンする表示であっても良い。
【００１７】
透明ポケット群１３を構成する複数の透明ポケットは例えばビニールの素材からなり、複数の透明ポケットには複数のイベントの象徴物をそれぞれ入れることができる。ここで、イベントの象徴物とは、イベントに関するアイドルやアーティスト等の人物やアニメキャラクター等の写真やイラスト（ブロマイド）であり、ユーザが自由に透明ポケットに入れることができる。図２では、第１のカードに表示されたイベントに関して、ユーザがお気に入りの人物のブロマイド２１が透明ポケットに入っている状態を示している。なお本実施形態において、透明ポケットの個数Ｐは１０個であるが、これに限定されるものではない。また本実施形態において、イベントの象徴物は透明ポケットにユーザが自由に入れるものであるが、例えば、透明ポケット群１３を構成する複数の透明ポケットの１枚に、カウントダウンカレンダー１０の販売時に予め所定のブロマイド等を入れておいても良い。
【００１８】
透明ポケット群１３は、第１のカード群１１及び第２のカード群１２と同様に、リング状の連結部１４（第２の連結部１４ｂ）により連結されている。ここで、透明ポケット群１３を構成する各透明ポケットは、薄くて柔らかい部材であるため、ユーザが捲る等の回転移動の際にリング状の第２の連結部１４ｂの隙間部１４１から外れやすい。そこで本実施形態では、図４に示されるように、透明ポケットが第２の連結部１４ｂから外れないように、透明ポケットを押さえるために領域Ｃの最前面（透明ポケット群１３の前面、最初の透明ポケットの手前）に透明ポケットの押さえ部材としての透明板１５を設けることが好ましい。透明板１５は、透明ポケットよりも固い素材からなり、例えばＰＥＴ製のプラスチック板である。このような構成の場合、リング状の連結部１４（第１の連結部１４ａ、第２の連結部１４ｂ）は、第１のカード群１１、第２のカード群１２、透明ポケット群１３、及び透明板１５をそれぞれ台紙１６に連結している。
【００１９】
なお本実施形態において、第２のカードは全てＰＰ加工されており、第１のカードと第２のカードの素材はそれぞれ同じであるため、第１のカードの枚数Ｓ１と第２のカードの枚数Ｓ２をそれぞれ１５枚として揃えている。また、透明板１５の素材は、第１のカード及び第２のカードの素材よりも厚い。このため、透明ポケットの個数Ｐを第１のカード及び第２のカードのそれぞれの枚数よりも少ない１０個とすることにより、透明ポケット群１３と透明板１５の厚みの合計を、第１のカード群１１の厚みと第２のカード群１２の厚みのそれぞれと略同一にすることができ（領域Ａ〜Ｃのそれぞれの表面位置を揃えて平坦にすることができ）、外観が整ってきれいに見える。但し、本実施形態はこれに限定されるものではなく、第１のカードと第２のカードとして互いに異なる素材を用いても良く、第１のカードと第２のカードのそれぞれの枚数も特定の枚数に限定されるものではない。好ましくは、本実施形態において、複数の第１のカードの枚数Ｓ１は１０≦Ｓ１≦２０、複数の第２のカードの枚数Ｓ２は１０≦Ｓ２≦１００、複数の透明ポケットの個数Ｐは５≦Ｐ≦１５である。複数の第１のカード及び複数の透明ポケットを設けることにより、複数のイベントのカウントダウンを楽しむことができる。但し、本実施形態はこれに限定されるものではなく、例えば、領域Ｃに複数ではなく１個の透明ポケットのみを設けていても良い。
【００２０】
好ましくは、本実施形態において、各透明ポケットの幅Ｗ１（ｍｍ）は７０≦Ｗ１≦１００、各透明ポケットの高さＨ１（ｍｍ）は１００≦Ｈ１≦１５０である。より好ましくは、各透明ポケットのサイズは、チェキ（登録商標）サイズのブロマイド等を入れることができるように設定される。チェキ（登録商標）サイズのブロマイドは、幅６３ｍｍ、高さ８９ｍｍであるため、各透明ポケットは、例えば幅Ｗ１＝７５ｍｍ、高さＨ１＝１０５ｍｍに設定される。また好ましくは、各透明ポケットのサイズは、Ｌ判サイズのブロマイド等を入れることができるように設定される。Ｌ判サイズのブロマイドは、幅８９ｍｍ、高さ１２７ｍｍであるため、各透明ポケットは、例えば幅Ｗ１＝９５ｍｍ、高さＨ１＝１４０ｍｍに設定される。また好ましくは、本実施形態において、カウントダウンカレンダー１０を机の上等に置きやすい大きさにするために、カウントダウンカレンダー１０を組み立てた状態（図１に示されるような使用状態）において、カウントダウンカレンダー１０の全体の幅（台紙１６の幅）Ｗ３（ｍｍ）は１４０≦Ｗ３≦２５０、カウントダウンカレンダー１０の垂直方向の高さ（台紙１６の高さ）Ｈ３（ｍｍ）は９０≦Ｈ３≦１７０である。より好ましくは、Ｌ判サイズのブロマイド等を入れることが可能である場合、カウントダウンカレンダー１０の全体は、例えば幅Ｗ３＝２１５ｍｍ、高さＨ３＝１４５ｍｍに設定される。ここで台紙１６の高さＨ３とは、カウントダウンカレンダー１０が置かれた面（例えば机の面）に対して垂直の方向の高さである。なお、カウントダウンカレンダー１０の使用状態において台紙１６の高さＨ３が可変である場合、使用状態における台紙１６の高さの最小値をＨ３とする。例えば、図１等に示されるように、本実施形態の台紙１６の底面部は折り曲げ可能であるが、この場合には、底面部を折り曲げずに平面状にしたときの垂直方向の高さを台紙１６の高さＨ３とする。
【００２１】
本実施形態において、第１のカード群１１が配置された領域Ａ（第１の領域）は第２のカード群１２が配置された領域Ｂ（第２の領域）よりも左側に配置され、透明ポケット群１３が配置された領域Ｃ（第３の領域）は領域Ｂよりも右側に配置されているが、このような配置に限定されるものではない。例えば透明ポケット群１３が配置された領域Ｃを左側や中央に配置する等、他の配置を採用しても良い。
【００２２】
好ましくは、本実施形態において、第１のカード群１１及び第２のカード群１２の合計幅Ｗ２（ｍｍ）は７０≦Ｗ２≦１８０、高さＨ２（ｍｍ）は１００≦Ｈ２≦１５０である。そして、第１のカード群１１及び第２のカード群１２には、それぞれ横幅が互いに略等しい第１のカード群１１及び第２のカード群１２の２組のカード群を並べて配置する。これにより、第１のカード群１１、第２のカード群１２及び透明ポケット群１３の横幅のバランスが取れて見栄えが良くなる。もっとも、２組のカード群の横幅は異なっていても良い。
【００２３】
また本実施形態において、第１のカード群１１及び第２のカード群１２の２組のカード群に加えて、第３のカード群（不図示）を含む３組のカード群を一列に並べて配置しても良い（すなわち、第１〜第３のカード群（３組のカード群）と透明ポケット群とを一列に並べて配置しても良い）。一方、４組以上のカード群を一列に並べて配置しようとすると、一般的な卓上カレンダーと同様のサイズを前提とするカウントダウンカレンダー１０のサイズが大きくなりすぎ、机の上の置き場所に困る等ユーザにとって使いにくくなるため、好ましくない。また本実施形態において、カウントダウンカレンダー１０は、高さよりも幅が長い横長サイズである。縦長にするとユーザが机の上に置きにくいため、カウントダウンカレンダー１０は横長であることが好ましい。
【００２４】
また本実施形態において、カウントダウンカレンダー１０はカウントダウンの機能を有していれば足り、カレンダー（暦の日付）の機能を有する３６５枚のカード群は必要では無い。
【００２５】
本実施形態によれば、好きな人物のライブの開催日や好きなアニメキャラクターの誕生日等のイベントまでの残り日数をお気に入りのブロマイドなどを卓上に飾りながらカウントダウンして楽しめるカウントダウンカレンダーを提供することができる。
【００２６】
以上、本考案の好ましい実施形態について説明したが、本考案はこれに限定されるものではなく、その要旨の範囲内において種々の変形や変更が可能である。
【符号の説明】
【００２７】
１０  カウントダウンカレンダー
１１  第１のカード群
１２  第２のカード群
１３  透明ポケット群
１４  連結部
１５  透明板
１６  台紙
【図１】
0003230750.tif 000003
【図２】
0003230750.tif 000004
【図３】
0003230750.tif 000005
【図４】
0003230750.tif 000006
【手続補正書】
【提出日】令和2年12月9日(2020.12.9)
【手続補正１】
【補正対象書類名】実用新案登録請求の範囲
【補正対象項目名】請求項５
【補正方法】変更
【補正の内容】
【請求項５】
前記第１のカード群の厚みと、前記第２のカード群の厚みと、前記透明ポケット群と前記透明板の厚みの合計がそれぞれ略同一であることを特徴とする請求項４に記載のカウントダウンカレンダー。